【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
ａ、入力文字列を取得するステップと、
ｂ、前記入力文字列に対応する相関テキストに対して自然言語処理を行うことにより、前記相関テキストから、前記入力文字列に対応する入力位置に近接する対応する焦点単語を前記入力文字列の文脈情報として抽出するステップと、
ｃ、前記入力文字列及び前記文脈情報に基づいて、前記入力文字列に対応する一つ又は複数の入力候補アイテムを確定するステップと、
ｄ、前記一つ又は複数の入力候補アイテムのうち少なくとも一つを、前記入力文字列に対応する目的アプリケーションに提供するステップと、を含み、
前記ステップｃは、
ｃ２、前記入力文字列が所定の長さ閾値を超えるか否かを検出するステップと、
前記入力文字列が前記長さ閾値を超えた場合、前記文脈情報及び前記入力文字列における前記文脈情報と隣接する部分入力文字列に基づいて、前記部分入力文字列に対応する一つ又は複数の部分入力候補アイテムを確定するステップと、
前記部分入力文字列及び前記入力文字列における他の入力文字列に基づいて、前記他の入力文字列に対応する一つ又は複数の他の入力候補アイテムを確定し、前記部分入力候補アイテムを前記他の入力文字列の文脈情報として用いるステップと、
前記一つ又は複数の部分入力候補アイテム及び前記一つ又は複数の他の入力候補アイテムに基づいて、前記一つ又は複数の入力候補アイテムを確定するステップと、
を含む、入力文字列に対応する入力候補アイテムを提供する方法。
【請求項２】
前記ステップｃは、
前記入力文字列に基づいて、入力シソーラスにおいてマッチングクエリを行うことにより、前記入力文字列に対応する一つ又は複数の予備入力候補アイテムを取得するステップと、
ｃｌ、前記文脈情報に基づいて、前記一つ又は複数の予備入力候補アイテムを処理することにより、前記一つ又は複数の入力候補アイテムを取得するステップと、
を含む、請求項１に記載の方法。
【請求項３】
前記ステップｃｌは、
前記文脈情報に基づいて、単語共起データベースにおいてマッチングクエリを行うことにより、前記予備入力候補アイテムと前記文脈情報が対応する共起関連度情報を確定するステップと、
前記共起関連度情報に基づいて、前記一つ又は複数の予備入力候補アイテムを処理することにより、前記一つ又は複数の入力候補アイテムを取得するステップと、
を含む、請求項２に記載の方法。
【請求項４】
一つ又は複数のテキスト情報を分析処理することにより、共起頻度が一定の閾値を満たす単語分割共起関係を取得するステップと、
前記単語分割共起関係に基づいて、前記単語共起データベースを確立するか又は更新するステップと、
をさらに含む、請求項３に記載の方法。
【請求項５】
前記ステップｃは、
前記入力文字列及び前記文脈情報に基づいて、前記入力文字列を含むとともに、前記文脈情報に対応する文字列を含む補完文字列を確定するステップと、
前記補完文字列に基づいて、入力シソーラスにおいてマッチングクエリを行うことにより、前記補完文字列に対応する一つ又は複数の補完入力候補アイテムを取得するステップと、
前記文脈情報に基づいて、前記一つ又は複数の補完入力候補アイテムを選別処理することにより、前記一つ又は複数の入力候補アイテムを取得するステップと、
を含む、請求項１に記載の方法。
【請求項６】
前記ステップｃ２は、
前記入力文字列に対応する、入力シソーラス中の一つ又は複数のサンプリング入力候補アイテムを取得するステップと、
前記一つ又は複数のサンプリング入力候補アイテムのうち少なくとも一つの文字数が所定の文字数閾値を超えるか否かを検出することにより、前記入力文字列が所定の長さ閾値を超えるか否かを確定するステップと、
を含む、請求項１に記載の方法。
【請求項７】
入力文字列を取得する取得装置と、
前記入力文字列に対応する相関テキストに対して自然言語処理を行うことにより、前記相関テキストから、前記入力文字列に対応する入力位置に近接する対応する焦点単語を前記入力文字列の文脈情報として抽出する文脈確定装置と、
前記入力文字列及び前記文脈情報に基づいて、前記入力文字列に対応する一つ又は複数の入力候補アイテムを確定する候補アイテム確定装置と、
前記一つ又は複数の入力候補アイテムのうち少なくとも一つを、前記入力文字列に対応する目的アプリケーションに提供する提供装置と、を含み、
前記候補アイテム確定装置は、
前記入力文字列が所定の長さ閾値を超えるか否かを検出する検出手段と、
反復手段を含み、
前記反復手段は、
前記入力文字列が前記長さ閾値を超えた場合、前記文脈情報及び前記入力文字列における前記文脈情報と隣接する部分入力文字列に基づいて、前記部分入力文字列に対応する一つ又は複数の部分入力候補アイテムを確定し、
前記部分入力文字列及び前記入力文字列における他の入力文字列に基づいて、前記他の入力文字列に対応する一つ又は複数の他の入力候補アイテムを確定し、前記部分入力候補アイテムを前記他の入力文字列の文脈情報として用い、
前記一つ又は複数の部分入力候補アイテム及び前記一つ又は複数の他の入力候補アイテムに基づいて、前記一つ又は複数の入力候補アイテムを確定する、
入力文字列に対応する入力候補アイテムを提供する入力装置。
【請求項８】
前記候補アイテム確定装置は、
前記入力文字列に基づいて、入力シソーラスにおいてマッチングクエリを行うことにより、前記入力文字列に対応する一つ又は複数の予備入力候補アイテムを取得するマッチング手段と、
前記文脈情報に基づいて、前記一つ又は複数の予備入力候補アイテムを処理することにより、前記一つ又は複数の入力候補アイテムを取得する処理手段と、
を含む、請求項７に記載の入力装置。
【請求項９】
前記処理手段は、
前記文脈情報に基づいて、単語共起データベースにおいてマッチングクエリを行うことにより、前記予備入力候補アイテムと前記文脈情報が対応する共起関連度情報を確定し、
前記共起関連度情報に基づいて、前記一つ又は複数の予備入力候補アイテムを処理することにより、前記一つ又は複数の入力候補アイテムを取得する、
請求項８に記載の入力装置。
【請求項１０】
一つ又は複数のテキスト情報を分析処理することにより、共起頻度が一定の閾値を満たす単語分割共起関係を取得するテキスト処理装置と、
前記単語分割共起関係に基づいて、前記単語共起データベースを確立するか又は更新する確立装置と、
をさらに含む、請求項９に記載の入力装置。
【請求項１１】
前記候補アイテム確定装置は、
前記入力文字列及び前記文脈情報に基づいて、前記入力文字列を含むとともに、前記文脈情報に対応する文字列を含む補完文字列を確定し、
前記補完文字列に基づいて、入力シソーラスにおいてマッチングクエリを行うことにより、前記補完文字列に対応する一つ又は複数の補完入力候補アイテムを取得し、
前記文脈情報に基づいて、前記一つ又は複数の補完入力候補アイテムを選別処理することにより、前記一つ又は複数の入力候補アイテムを取得する、
請求項７に記載の入力装置。
【請求項１２】
前記検出手段は、
前記入力文字列に対応する入力シソーラス中の一つ又は複数のサンプリング入力候補アイテムを取得し、
前記一つ又は複数のサンプリング入力候補アイテムのうち少なくとも一つの文字数が所定の文字数閾値を超えるか否かを検出することにより、前記入力文字列が所定の長さ閾値を超えるか否かを確定する、
請求項７に記載の入力装置。